(57)【要約】      （修正有）【課題】発光が均一ではなくて、薄くて軽い発光キーボードを提供する。【解決手段】複数のキーボード命令部１１１を有する回路板１１と、これらのキーボード命令部１１１に対応するように回路板１１に設けられ、ユーザがキーボード命令部１１１を押圧できる複数の押圧具１２と、を少なくとも備える。また、各押圧具１２は、押圧面１２１と、受け面１２２と、押圧面１２１と受け面１２２の間に介在する連結面１２３と、を有し、押圧面１２１と回路板１１の間に光源投射区間Ｓが形成されるキーボード部１と、光線を光源投射区間Ｓに投射する発光ユニット２１と、遮光片２２と、を含む。また、遮光片２２は、押圧具１２の押圧面１２１を外部に露出する貫通孔２２１と、受け面１２２と重なる遮光部２２２と、を含み、遮光部２２２により、光源投射区間Ｓから受け面１２２へ投射する光線が遮蔽され、これにより、光源投射区間Ｓからの光線を押圧面１２１と連結面１２３のみに投射することが可能な発光部２と、を含む。【選択図】図２Ａ
0003182004.tif 000002
【実用新案登録請求の範囲】
【請求項１】
複数のキーボード命令部（１１１）を有する回路板（１１）と、これらの前記キーボード命令部（１１１）に対応するように前記回路板（１１）に設けられ、ユーザが前記キーボード命令部（１１１）を押圧可能な複数の押圧具（１２）と、を少なくとも備え、前記各押圧具（１２）は、押圧面（１２１）と、受け面（１２２）と、前記押圧面（１２１）と前記受け面（１２２）の間に介在する連結面（１２３）と、を有し、前記押圧面（１２１）と前記回路板（１１）の間に光源投射区間（Ｓ）が形成されるキーボード部（１）と、
光線を前記光源投射区間（Ｓ）に投射する発光ユニット（２１）と、遮光片（２２）と、を含み、前記遮光片（２２）は、前記押圧具（１２）の前記押圧面（１２１）を外部に露出する貫通孔（２２１）と、前記受け面（１２２）と重なる遮光部（２２２）と、を含み、前記遮光部（２２２）により、前記光源投射区間（Ｓ）から前記受け面（１２２）へ投射された光線が遮蔽され、これにより、前記光源投射区間（Ｓ）からの光線を前記押圧面（１２１）と前記連結面（１２３）のみに投射することが可能な発光部（２）と、
を含むことを特徴とする発光キーボード。
【請求項２】
前記連結面（１２３）は斜面であることを特徴とする、請求項１に記載の発光キーボード。
【請求項３】
前記連結面（１２３）は垂直面であることを特徴とする、請求項１に記載の発光キーボード。
【請求項４】
前記受け面（１２２）は、前記押圧具（１２）に隣接する前記連結面（１２３）の底縁と連結する連接アーム（１４）から構成されることを特徴とする、請求項２又は３に記載の発光キーボード。
【請求項５】
前記受け面（１２２）は、前記押圧具（１２）に隣接する前記連結面（１２３）の底縁から、前記押圧面（１２１）に水平に延びて構成されることを特徴とする、請求項２又は３に記載の発光キーボード。
【請求項６】
前記押圧面（１２１）には、更に、透光区域（１２５）と、透光不能区域（１２６）と、が設けられることを特徴とする、請求項１に記載の発光キーボード。
【請求項７】
前記押圧面（１２１）に設けられる透光区域（１２５）の形状はキャラクタや符号であることを特徴とする、請求項６に記載の発光キーボード。
【請求項８】
前記連結面（１２３）は透光面であることを特徴とする、請求項１に記載の発光キーボード。
【請求項９】
前記連結面（１２３）は透光不能面であることを特徴とする、請求項１に記載の発光キーボード。
【請求項１０】
前記キーボード部（１）は、これらの前記押圧具（１２）の前記回路板（１１）への変位を補助する弾性支持体（１３）を含むことを特徴とする、請求項１に記載の発光キーボード。
【請求項１１】
前記回路板（１１）は、前記押圧具（１２）と前記遮光片（２２）とに対応する透光不能層（１１２）が設けられることを特徴とする、請求項１に記載の発光キーボード。
【請求項１２】
前記回路板（１１）の透光不能層（１１２）は、更に、反射層であることを特徴とする、請求項１１に記載の発光キーボード。
【考案の詳細な説明】
【技術分野】
【０００１】
本考案は、キーキャップが発光できる発光キーボードに関し、特に、遮光片が押圧具の受け面を重ねており、受け面へ投射される光線が遮蔽されて、光線が押圧面と連結面とだけから外部に投射される発光キーボードに関するものである。
【背景技術】
【０００２】
デスクトップパーソナルコンピュータやノートパーソナルコンピュータにおいて、キーボードは命令を入力するための最も重要な機器である。キーボードを設計する重点は、ユーザが快適で正確に命令をコンピュータに入力できることにある。光が不足する環境において、キーの配置を熟知していないユーザは命令を正確に入力できないため、多種の発光キーボードが提案された。例えば特許文献１の米国特許第６２８４９８８号、特許文献２の米国特許第６３２２２２９号、特許文献３の米国特許第６１９９９９６号、特許文献４の米国特許第６５５４４４２号、特許文献５の米国特許第６１７９４３２号、特許文献６の台湾特許第５０９９５５号、特許文献７の台湾特許第４６５７７７号、特許文献８の台湾特許第５３５３８５号、特許文献９の台湾特許第４３８０３５号、特許文献１０の台湾特許第５７０２３５号、特許文献１１の台湾特許第４６８８３３号及び特許文献１２の台湾特許第５１６６７１号は、光線を投射できる発光片がキーボードの内部に設けられ、これにより、光が不足する環境においても、ユーザが快適で正確に命令をコンピュータに入力できる。
【０００３】
しかし、これらの提案は、キーキャップ、弾性体及び連動機構が透光材料で作製され、又はキーキャップを透光できないようにして、キーキャップにあるキャラクタや符号部分のみを透光できるようにして、発光子を全面的に発光できるようにし、これにより、キーボードヘ投射される光線の明るさが均一となる。しかし、このような発光の形態は、光が不足する環境においては、キーボードからの光線が強すぎて、ユーザが各キーキャップ上にあるキャラクタや符号をはっきりと識別できず、そして隣接するキーキャップ同士からの光線が互いに干渉するため、ユーザが各キーキャップにあるキャラクタや符号をはっきりと識別できないという問題があった。
【０００４】
上記の問題を解決するために、本願は、特許文献１３の台湾特許第Ｉ２３０９５７号の光線が均一の明るさで投射されない発光キーボードを提案した。この発明は、キーキャップと発光子の間に遮蔽子を設けることにより、各キーキャップの位置が透光区域となり、隣接するキーキャップ同士の間にある隙間の位置が透光不能区域となる。これにより、キーボードからの光線が強すぎて、ユーザが各キーキャップにあるキャラクタや符号をはっきりと識別できないという問題を解決できる。
【先行技術文献】
【特許文献】
【０００５】
【特許文献１】米国特許第６２８４９８８号公報
【特許文献２】米国特許第６３２２２２９号公報
【特許文献３】米国特許第６１９９９９６号公報
【特許文献４】米国特許第６５５４４４２号公報
【特許文献５】米国特許第６１７９４３２号公報
【特許文献６】台湾特許第５０９９５５号公報
【特許文献７】台湾特許第４６５７７７号公報
【特許文献８】台湾特許第５３５３８５号公報
【特許文献９】台湾特許第４３８０３５号公報
【特許文献１０】台湾特許第５７０２３５号公報
【特許文献１１】台湾特許第４６８８３３号公報
【特許文献１２】台湾特許第５１６６７１号公報
【特許文献１３】台湾特許第Ｉ２３０９５７号公報
【考案の概要】
【考案が解決しようとする課題】
【０００６】
本考案の主な目的は、発光が均一ではなく、薄くて軽い発光キーボードを提供することにある。
【課題を解決するための手段】
【０００７】
本考案の発光キーボードによると、複数のキーボード命令部１１１を有する回路板１１と、これらのキーボード命令部１１１に対応するように回路板１１に設けられ、ユーザがキーボード命令部１１１を押圧可能な複数の押圧具１２と、を少なくとも備え、各押圧具１２は、押圧面１２１と、受け面１２２と、押圧面１２１と受け面１２２の間に介在する連結面１２３と、を有し、押圧面１２１と回路板１１の間に光源投射区間Ｓが形成されるキーボード部１と、光線を光源投射区間Ｓに投射する発光ユニット２１と、遮光片２２と、を含み、遮光片２２は、押圧具１２の押圧面１２１を外部に露出する貫通孔２２１と、受け面１２２と重なる遮光部２２２と、を含み、遮光部２２２により、光源投射区間Ｓから受け面１２２へ投射される光線が遮蔽され、これにより、光源投射区間Ｓからの光線を押圧面１２１と連結面１２３のみに投射することが可能な発光部２と、を含むことを特徴とする。
【０００８】
本考案の発光キーボードによると、連結面１２３は斜面であることを特徴とする。
【０００９】
本考案の発光キーボードによると、連結面１２３は垂直面であることを特徴とする。
【００１０】
本考案の発光キーボードによると、受け面１２２は、押圧具１２に隣接する連結面１２３の底縁と連結する連接アーム１４から構成されることを特徴とする。
【００１１】
本考案の発光キーボードによると、受け面１２２は、押圧具１２に隣接する連結面１２３の底縁から、押圧面１２１に水平に延びて構成されることを特徴とする。
【００１２】
本考案の発光キーボードによると、押圧面１２１には、更に、透光区域１２５と、透光不能区域１２６と、が設けられることを特徴とする。
【００１３】
本考案の発光キーボードによると、押圧面１２１に設けられる透光区域１２５の形状はキャラクタや符号であることを特徴とする。
【００１４】
本考案の発光キーボードによると、連結面１２３は透光面であることを特徴とする。
【００１５】
本考案の発光キーボードによると、連結面１２３は透光不能面であることを特徴とする。
【００１６】
本考案の発光キーボードによると、キーボード部１は、これらの押圧具１２の回路板１１への変位を補助する弾性支持体１３を含むことを特徴とする。
【００１７】
本考案の発光キーボードによると、回路板１１は、押圧具１２と遮光片２２とに対応する透光不能層１１２が設けられることを特徴とする。
【００１８】
本考案の発光キーボードによると、回路板１１の透光不能層１１２は、更に、反射層であることを特徴とする。
【考案の効果】
【００１９】
本考案の発光キーボードによれば、次のような効果がある。
（１）遮光片が押圧具の受け面を重ねており、受け面へ投射する光線が遮蔽されて、光線が押圧面と連結面のみから外部に投射されることにより、発光が均一ではない。
【００２０】
（２）連動機構を有しないため、キーボードの厚さを減少でき、薄型化することができる。
【図面の簡単な説明】
【００２１】
【図１】本考案の実施例１の構造を示す分解斜視図である。
【図２Ａ】本考案の実施例１を示す側面図である。
【図２Ｂ】本考案の実施例１の一部を示す拡大側面図である。
【図３】本考案の実施例２を示す側面図である。
【図４】本考案の実施例３の構造を示す分解斜視図である。
【図５】本考案の実施例３を示す側面図である。
【考案を実施するための形態】
【００２２】
以下、本考案の実施の形態を図面に基づいて説明する。
まず、図１、図２Ａ及び図２Ｂを参照する。図１は本考案の実施例１の構造を示す分解斜視図であり、図２Ａは本考案の実施例１を示す側面図である。図２Ｂは本考案の実施例１の一部を示す拡大側面図であり、図２Ａ中の楕円で囲まれた範囲を拡大した拡大側面図である。本考案の発光キーボードは、キーボード部１と、発光部２と、を含む。キーボード部１は、複数のキーボード命令部１１１を有する回路板１１と、これらのキーボード命令部１１１に対応するように回路板１１に設けられ、ユーザがキーボード命令部１１１を押圧できる複数の押圧具１２と、を少なくとも含む。各押圧具１２は、押圧面１２１と、受け面１２２と、押圧面１２１と受け面１２２の間に介在する連結面１２３と、を有する。押圧面１２１と回路板１１の間に光源投射区間Ｓが形成される。一方、押圧具１２には、回路板１１へ延びる触発部１２４が設けられる。押圧具１２が押圧されて回路板１１側へ変位し、キーボード命令部１１１と接触するときには、キーボード命令が発生する。これらの押圧具１２と回路板１１の間には、更に、弾性支持体１３が設けられる。弾性支持体１３は、これらの押圧具１２が押圧されて回路板１１側へ変位し接触するのを補助する。弾性支持体１３は、スポンジ又は片状バネである。発光部２は、光線が光源投射区間Ｓに投射する発光ユニット２１と、遮光片２２と、を含む。発光ユニット２１の実施の態様は、光源投射区間Ｓの両側に設けられる発光ダイオードや発光条であり、又は光源投射区間Ｓの内部に設けられる発光ダイオードや発光条である。もちろん、発光ユニット２１の実施の態様は、これらに限定されない。そして本考案の技術的な特徴は発光ユニット２１の実施の態様ではないため、その説明を省略した。具体的には、遮光片２２は、押圧具１２の押圧面１２１を外部に露出する貫通孔２２１と、受け面１２２を重ねる遮光部２２２と、を含む。このように、発光ユニット２１からの光線は、光源投射区間Ｓ内に広がり、遮光部２２２により、光源投射区間Ｓから受け面１２２へ投射された光線が遮蔽され、これにより、光源投射区間Ｓからの光線が押圧面１２１と連結面１２３のみに投射される。
【００２３】
図１及び図３を参照する。図３は本考案の実施例２を示す側面図である。押圧具１２は実施可能な態様が多く、例えば押圧面１２１と受け面１２２の間に設けられる連結面１２３は、斜面とすることが可能であり、垂直面とすることも可能である。本考案の押圧具１２がこれらの態様に限定されるものではないが、具体的には、本考案の受け面１２２は、押圧具１２に隣接する連結面１２３の底縁と連結する連接アーム１４から構成され、連接アーム１４は、隣接する押圧具１２同士の間に位置して隣接する押圧具１２同士を連接する、第１連接段１４１と、第２連接段１４２と、第１連接段１４１及び第２連接段１４２とを連接して応力緩衝点となる弾性段１４３と、を含み、遮光片２２の遮光部２２２は連接アーム１４を重ねており、これにより、光源投射区間Ｓから連接アーム１４へ投射される光線が遮蔽される。
【００２４】
上記の実施の態様の他、本考案の受け面１２２は、図４及び図５に示す実施の態様がある。図４は本考案の実施例３の構造を示す分解斜視図であり、図５は本考案の実施例３を示す側面図である。図４及び図５に示す実施の態様は、受け面１２２は、押圧具１２に隣接する連結面１２３の底縁から、押圧面１２１に水平に延びて構成され、遮光片２２の遮光部２２２は連接アーム１４の底縁から水平に延びる端部Ａを重ねている。詳細に説明すると、端部Ａは、遮蔽片２２を重ねる他、押圧具１２のキーボード部１における位置及び作動を規制する。
【００２５】
図１を参照する。本考案の押圧面１２１には、更に、透光区域１２５と、透光不能区域１２６と、が設けられる。押圧面１２１が透光面である場合には、透光不能区域１２６は、押圧面１２１に透光不能な顔料又は材料が塗布された部分であり、これにより、光線が透光不能区域１２６を透過できない。押圧面１２１に設けられる透光区域１２５はキャラクタや符号である。一方、本考案の押圧面１２１は、必要によって透光位置及び遮光位置を決めることができ、連結面１２３は、透光面とすることが可能であり、透光不能面とすることも可能である。また、本考案の回路板１１は、押圧具１２及び遮光片２２に対応する透光不能層１１２を有する。透光不能層１１２により、光源投射区間Ｓ内に広がる光線が、回路板１１を透過できず、光源投射区間Ｓの内部のみを発光させることが可能である。なお、透光不能層１１２は、更に、反射層である。このように、光源投射区間Ｓ内に伝導する光線は、反射層に反射し押圧面１２１へ投射される。
【００２６】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２７】
本考案は、キーボードに適用することができる。
【符号の説明】
【００２８】
１  キーボード部
２  発光部
１１  回路板
１２  押圧具
１３  弾性支持体
１４  連接アーム
２１  発光ユニット
２２  遮光片
１１１  キーボード命令部
１１２  透光不能層
１２１  押圧面
１２２  受け面
１２３  連結面
１２５  透光区域
１２６  透光不能区域
２２１  貫通孔
２２２  遮光部
Ｓ  光源投射区間
【図１】
0003182004.tif 000003
【図２Ａ】
0003182004.tif 000004
【図２Ｂ】
0003182004.tif 000005
【図３】
0003182004.tif 000006
【図４】
0003182004.tif 000007
【図５】
0003182004.tif 000008